(57)【特許請求の範囲】
【請求項１】
テレビ放送番組と該番組を示す番組情報とを受信するテレビ放送受信部と、インターネット上のコンテンツと該コンテンツを示すコンテンツ情報とを受信するインターネット受信部と、テレビ放送受信部が受信した番組、又はインターネット受信部が受信したコンテンツを表示する表示部とを有する表示装置を制御する視聴メディア自動切替装置であって、
上記テレビ放送受信部が受信した番組情報を記録装置に記録する番組情報管理手段と、
上記インターネット受信部が受信したコンテンツ情報を記録装置に記録するコンテンツ情報管理手段と、
上記テレビ放送受信部が受信した番組及び上記インターネット受信部が受信したコンテンツのうち、ユーザによって選択された番組及びコンテンツを記録装置に記録すると共に、記録装置に記録した番組の上記番組情報及び記録装置に記録したコンテンツの上記コンテンツ情報を含む記録済視聴メディア情報を作成し、該記録済視聴メディア情報を記録装置に記録する視聴メディア記録手段と、
上記表示部に表示した番組、コンテンツ、並びに、記録装置に記録された番組及びコンテンツに対するユーザの視聴状況を示す利用情報を、上記表示部に表示した番組の番組情報、上記表示部に表示したコンテンツのコンテンツ情報、並びに、記録装置に記録された番組及びコンテンツの記録済視聴メディア情報とそれぞれ関連付けて、記録装置に記録する利用情報管理手段と、
上記利用情報の内容に応じて、（１）上記テレビ放送受信部が受信した番組、（２）上記インターネット受信部が受信したコンテンツ、並びに、（３）上記テレビ放送受信部が受信した番組及び／又は上記インターネット受信部が受信したコンテンツであって、予め記録装置に記録された番組及び／又はコンテンツを順位付けし、該順位と、番組情報、コンテンツ情報、及び、記録済視聴メディア情報とを関連付けた優先度リストを記録装置に記録する視聴優先度管理手段と、
上記視聴優先度管理手段によって記録装置に記録された優先度リストより、順位の高い番組又はコンテンツを自動的に表示部に表示させる視聴メディア自動切替手段と、
を備え、
上記番組情報管理手段、及び、上記コンテンツ情報管理手段が同時間帯に上記表示部に表示可能な放送番組及び／又はインターネット上のコンテンツが存在すると確認したとき、
上記視聴優先度管理手段にて記録装置に記録した優先度リストにおいて、上記同時間帯に上記表示部に表示可能な放送番組及び／又はインターネット上のコンテンツのうち順位の最も高い番組又はコンテンツを自動的に表示部に表示させ、その他の番組及び／又はコンテンツを記録するよう上記視聴メディア記録手段に指示することを設定する設定手段を更に備えていることを特徴とする視聴メディア自動切替装置。
【請求項２】
上記利用情報管理手段は、ユーザの好みの出演者、番組のタイトル、及びキーワードを含むユーザ嗜好情報を記録装置に記録し、
上記視聴優先度管理手段はさらに、上記ユーザ嗜好情報の内容に応じて、上記テレビ放送受信部が受信した番組、上記インターネット受信部が受信したコンテンツ、並びに、上記テレビ放送受信部が受信した番組及び／又は上記インターネット受信部が受信したコンテンツであって、予め記録装置に記録された番組及び／又はコンテンツを順位付けした優先度リストを記録装置に記録することを特徴とする請求項１に記載の視聴メディア自動切替装置。
【請求項３】
上記コンテンツ情報管理手段は、上記コンテンツ情報管理手段によって記録されたコンテンツ情報が最新の状態になるよう、上記インターネット受信部からコンテンツ情報を受信し、上記コンテンツ情報を更新することを特徴とする請求項１または２に記載の視聴メディア自動切替装置。
【請求項４】
上記コンテンツ情報管理手段が更新するコンテンツ情報は、他のユーザによる上記コンテンツへのアクセス数をさらに含み、
上記視聴優先度管理手段はさらに、上記コンテンツへのアクセス数に応じて、上記テレビ放送受信部が受信した番組、上記インターネット受信部が受信したコンテンツ、並びに、上記テレビ放送受信部が受信した番組及び／又は上記インターネット受信部が受信したコンテンツであって、予め記録装置に記録された番組及び／又はコンテンツを順位付けした優先度リストを記録装置に記録することを特徴とする請求項３に記載の視聴メディア自動切替装置。
【請求項５】
上記設定手段は、上記視聴メディア自動切替手段に、上記視聴優先度管理手段によって記録装置に記録された優先度リストより、順位の最も高い番組又はコンテンツを自動的に表示部に表示させること、又は、順位の高い順に番組及びコンテンツを並べて表示部に表示させることを、ユーザからの指示に従ってさらに設定することを特徴とする請求項１から４の何れか１項に記載の視聴メディア自動切替装置。
【請求項６】
上記記録装置は、上記番組情報管理手段が記録した番組情報と、
上記コンテンツ情報管理手段が記録したコンテンツ情報と、
上記視聴メディア記録手段が記録した記録済視聴メディア情報とを含む視聴メディア情報データベースを含んでいることを特徴とする請求項１から５の何れか１項に記載の視聴メディア自動切替装置。
【請求項７】
上記記録装置は、上記利用情報管理手段が記録した利用情報、及び／又は、上記利用情報管理手段によって記録され、ユーザの好みの出演者、番組のタイトル、及びキーワードを含むユーザ嗜好情報を含む嗜好情報データベースを含んでいることを特徴とする請求項１から６の何れか１項に記載の視聴メディア自動切替装置。
【請求項８】
上記記録装置は、上記視聴優先度管理手段が記録装置に記録した優先度リストを含む視聴メディア優先度データベースを含むことを特徴とする請求項１から７の何れか１項に記載の視聴メディア自動切替装置。
【請求項９】
上記嗜好情報データベースは、１又は複数のユーザ毎、及び、１又は複数のユーザからなる１又は複数のグループ毎に管理されていることを特徴とする請求項７に記載の視聴メディア自動切替装置。
【請求項１０】
上記視聴メディア優先度データベースは、１又は複数のユーザ毎、及び、１又は複数のユーザからなる１又は複数のグループ毎に管理されていることを特徴とする請求項８に記載の視聴メディア自動切替装置。
【請求項１１】
請求項１から１０の何れか１項に記載の視聴メディア自動切替装置を備えている表示装置。
【請求項１２】
テレビ放送番組と該番組を示す番組情報とを受信するテレビ放送受信部と、インターネット上のコンテンツと該コンテンツを示すコンテンツ情報とを受信するインターネット受信部と、テレビ放送受信部が受信した番組、又はインターネット受信部が受信したコンテンツを表示する表示部とを有する表示装置を制御する視聴メディア自動切替装置の視聴メディア自動切替方法であって、
上記テレビ放送受信部が受信した番組情報を記録装置に記録する番組情報管理ステップと、
上記インターネット受信部が受信したコンテンツ情報を記録装置に記録するコンテンツ情報管理ステップと、
上記テレビ放送受信部が受信した番組及び上記インターネット受信部が受信したコンテンツのうち、ユーザによって選択された番組及びコンテンツを記録装置に記録すると共に、記録装置に記録した番組の上記番組情報及び記録装置に記録したコンテンツの上記コンテンツ情報を含む記録済視聴メディア情報を作成し、該記録済視聴メディア情報を記録装置に記録する視聴メディア記録ステップと、
上記表示部に表示した番組、コンテンツ、並びに、記録装置に記録された番組及びコンテンツに対するユーザの視聴状況を示す利用情報を、上記表示部に表示した番組の番組情報、上記表示部に表示したコンテンツのコンテンツ情報、並びに、記録装置に記録された番組及びコンテンツの記録済視聴メディア情報とそれぞれ関連付けて、記録装置に記録する利用情報管理ステップと、
上記利用情報の内容に応じて、（１）上記テレビ放送受信部が受信した番組、（２）上記インターネット受信部が受信したコンテンツ、並びに、（３）上記テレビ放送受信部が受信した番組及び／又は上記インターネット受信部が受信したコンテンツであって、予め記録装置に記録された番組及び／又はコンテンツを順位付けし、該順位と、番組情報、コンテンツ情報、及び、記録済視聴メディア情報とを関連付けた優先度リストを記録装置に記録する視聴優先度管理ステップと、
上記視聴優先度管理ステップによって記録装置に記録された優先度リストより、順位の高い番組又はコンテンツを自動的に表示部に表示させる視聴メディア自動切替ステップと、
を備え、
上記番組情報管理ステップ、及び、上記コンテンツ情報管理ステップにおいて同時間帯に上記表示部に表示可能な放送番組及び／又はインターネット上のコンテンツが存在すると確認したとき、
上記視聴優先度管理ステップにて記録装置に記録した優先度リストにおいて、上記同時間帯に上記表示部に表示可能な放送番組及び／又はインターネット上のコンテンツのうち順位の最も高い番組又はコンテンツを自動的に表示部に表示させ、その他の番組及び／又はコンテンツを記録するように指示することを設定する設定ステップを更に備えていることを特徴とする視聴メディア自動切替装置の視聴メディア自動切替方法。
【請求項１３】
請求項１から１０の何れか１項に記載の視聴メディア自動切替装置を動作させるための制御プログラムであって、コンピュータを上記各手段として機能させるための制御プログラム。
【請求項１４】
請求項１３に記載の制御プログラムを記録したコンピュータ読み取り可能な記録媒体。
【発明の詳細な説明】
【技術分野】
【０００１】
本発明は、テレビ放送番組、インターネット上コンテンツ、並びに、録画された番組及びコンテンツのうち、ユーザが好みの番組又はコンテンツを自動的に表示部に表示させる視聴メディア自動切替装置、及び、そのような視聴メディア自動切替装置における視聴メディア自動切替方法に関する。また、ユーザが好みの番組又はコンテンツを順位付けする視聴メディア順位付け方法に関する。また、本発明は、そのような視聴メディア自動切替装置としてコンピュータを動作させるプログラム及び、該プログラムを記憶している記憶媒体に関する。さらに、本発明はそのような視聴メディア自動切替装置を含む表示装置に関する。
【背景技術】
【０００２】
近年、テレビジョン受像機（以下、テレビと呼ぶ）が受信可能なテレビ放送は、地上放送、ＢＳ放送、ＣＳ放送、ケーブルテレビ放送等、多様な放送形態に分かれ、この結果、多チャンネル化の傾向にある。また、ハードディスクレコーダなどの録画機能を有しているテレビも普及している。加えて、インターネットに接続されているテレビにおいては、インターネット上の音声及び動画などのコンテンツなどの視聴も可能になっている。
【０００３】
このような視聴環境の多様化および拡大に伴い、視聴対象となるテレビ放送番組、インターネット上の動画コンテンツ、並びに記録済みの番組およびコンテンツが膨大となる結果、ユーザが視聴すべき番組またはコンテンツを選択することは、非常に困難な状況となっている。このような状況に対応すべく、ユーザが視聴したい番組又はコンテンツをテレビに自動的に選択させる方法が提案されている。例えば、特許文献１には、選局されたテレビ放送番組の情報または選局された時間帯、さらには選局された番組に対するユーザの興味の度合い等が反映されたチャンネル自動切替機能を備えたテレビ受信機が記載されている。
【先行技術文献】
【特許文献】
【０００４】
【特許文献１】特開２００８−２９４９４２号公報（平成２０年１２月４日公開）
【発明の概要】
【発明が解決しようとする課題】
【０００５】
しかしながら、上述のような従来技術は、テレビ放送番組に対し、ユーザの興味の度合い等が反映されたチャンネル自動切替機能に過ぎず、インターネット上のコンテンツやハードディスクに録画された番組及びコンテンツに対しては、ユーザが手動でチャンネルを切り替える必要があるという問題がある。
【０００６】
つまり、従来技術のテレビでは、テレビ放送番組以外の、インターネット上の動画コンテンツ、並びに、記録済番組及びコンテンツを含めて、最適な番組及びコンテンツを自動的に切り替えて表示することができず、利用者の番組及びコンテンツ選択の煩雑さを解消しえたとは言えない。
【０００７】
本発明は、このような問題を解決するためになされたものであり、その目的は、地上放送、ＢＳ放送、ＣＳ放送、ケーブルテレビ放送等、のテレビ放送番組、インターネット上のコンテンツ、及び、ハードディスク等に録画された番組及びコンテンツのうち、ユーザの好みの番組又はコンテンツを自動的に提供することで、利用者の番組及びコンテンツ選択の煩雑さを解消し、利便性を向上することが可能な、視聴メディア自動切替装置、及び、自動的に切り替えて提供された番組及びコンテンツを表示する表示装置を実現することにある。
【課題を解決するための手段】
【０００８】
上記課題を解決するために、本発明における視聴メディア自動切替装置は、テレビ放送番組と該番組を示す番組情報とを受信するテレビ放送受信部と、インターネット上のコンテンツと該コンテンツを示すコンテンツ情報とを受信するインターネット受信部と、テレビ放送受信部が受信した番組、又はインターネット受信部が受信したコンテンツを表示する表示部とを有する表示装置を制御する視聴メディア自動切替装置であって、上記テレビ放送受信部が受信した番組情報を記録装置に記録する番組情報管理手段と、上記インターネット受信部が受信したコンテンツ情報を記録装置に記録するコンテンツ情報管理手段と、上記テレビ放送受信部が受信した番組及び上記インターネット受信部が受信したコンテンツのうち、ユーザによって選択された番組及びコンテンツを記録装置に記録すると共に、記録装置に記録した番組の上記番組情報及び記録装置に記録したコンテンツの上記コンテンツ情報を含む記録済視聴メディア情報を作成し、該記録済視聴メディア情報を記録装置に記録する視聴メディア記録手段と、上記表示部に表示した番組、コンテンツ、並びに、記録装置に記録された番組及びコンテンツに対するユーザの視聴状況を示す利用情報を、上記表示部に表示した番組の番組情報、上記表示部に表示したコンテンツのコンテンツ情報、並びに、記録装置に記録された番組及びコンテンツの記録済視聴メディア情報とそれぞれ関連付けて、記録装置に記録する利用情報管理手段と、上記利用情報の内容に応じて、（１）上記テレビ放送受信部が受信した番組、（２）上記インターネット受信部が受信したコンテンツ、並びに、（３）上記テレビ放送受信部が受信した番組及び／又は上記インターネット受信部が受信したコンテンツであって、予め記録装置に記録された番組及び／又はコンテンツを順位付けし、該順位と、番組情報、コンテンツ情報、及び、記録済視聴メディア情報とを関連付けた優先度リストを記録装置に記録する視聴優先度管理手段と、上記視聴優先度管理手段によって記録装置に記録された優先度リストより、順位の高い番組又はコンテンツを自動的に表示部に表示させる視聴メディア自動切替手段と、を備え、上記番組情報管理手段、及び、上記コンテンツ情報管理手段が同時間帯に上記表示部に表示可能な放送番組及び／又はインターネット上のコンテンツが存在すると確認したとき、上記視聴優先度管理手段にて記録装置に記録した優先度リストにおいて、上記同時間帯に上記表示部に表示可能な放送番組及び／又はインターネット上のコンテンツのうち順位の最も高い番組又はコンテンツを自動的に表示部に表示させ、その他の番組及び／又はコンテンツを記録するよう上記視聴メディア記録手段に指示することを設定する設定手段を更に備えていることを特徴としている。
【０００９】
また、上記課題を解決するために、本発明における視聴メディア自動切替装置の視聴メディア自動切替方法は、テレビ放送番組と該番組を示す番組情報とを受信するテレビ放送受信部と、インターネット上のコンテンツと該コンテンツを示すコンテンツ情報とを受信するインターネット受信部と、テレビ放送受信部が受信した番組、又はインターネット受信部が受信したコンテンツを表示する表示部とを有する表示装置を制御する視聴メディア自動切替装置の視聴メディア自動切替方法であって、上記テレビ放送受信部が受信した番組情報を記録装置に記録する番組情報管理ステップと、上記インターネット受信部が受信したコンテンツ情報を記録装置に記録するコンテンツ情報管理ステップと、上記テレビ放送受信部が受信した番組及び上記インターネット受信部が受信したコンテンツのうち、ユーザによって選択された番組及びコンテンツを記録装置に記録すると共に、記録装置に記録した番組の上記番組情報及び記録装置に記録したコンテンツの上記コンテンツ情報を含む記録済視聴メディア情報を作成し、該記録済視聴メディア情報を記録装置に記録する視聴メディア記録ステップと、上記表示部に表示した番組、コンテンツ、並びに、記録装置に記録された番組及びコンテンツに対するユーザの視聴状況を示す利用情報を、上記表示部に表示した番組の番組情報、上記表示部に表示したコンテンツのコンテンツ情報、並びに、記録装置に記録された番組及びコンテンツの記録済視聴メディア情報とそれぞれ関連付けて、記録装置に記録する利用情報管理ステップと、上記利用情報の内容に応じて、（１）上記テレビ放送受信部が受信した番組、（２）上記インターネット受信部が受信したコンテンツ、並びに、（３）上記テレビ放送受信部が受信した番組及び／又は上記インターネット受信部が受信したコンテンツであって、予め記録装置に記録された番組及び／又はコンテンツを順位付けし、該順位と、番組情報、コンテンツ情報、及び、記録済視聴メディア情報とを関連付けた優先度リストを記録装置に記録する視聴優先度管理ステップと、上記視聴優先度管理ステップによって記録装置に記録された優先度リストより、順位の高い番組又はコンテンツを自動的に表示部に表示させる視聴メディア自動切替ステップと、を備え、上記番組情報管理ステップ、及び、上記コンテンツ情報管理ステップにおいて同時間帯に上記表示部に表示可能な放送番組及び／又はインターネット上のコンテンツが存在すると確認したとき、上記視聴優先度管理ステップにて記録装置に記録した優先度リストにおいて、上記同時間帯に上記表示部に表示可能な放送番組及び／又はインターネット上のコンテンツのうち順位の最も高い番組又はコンテンツを自動的に表示部に表示させ、その他の番組及び／又はコンテンツを記録するように指示することを設定する設定ステップを更に備えていることを特徴としている。
【００１０】
ここで、上記利用情報とは、番組又はコンテンツに対するユーザの利用状況を示す情報であり、例えば、過去に視聴した番組又はコンテンツが、テレビ放送受信部が受信した番組、インターネット受信部が受信したコンテンツ、及び、記録装置に記録された番組及びコンテンツの何れであるかを示すメディア識別情報と、該メディア識別情報で示される視聴メディアに対する視聴回数及び視聴時間などの情報と、過去に視聴した番組又はコンテンツのジャンルを示すジャンル情報と、該ジャンル情報で示されるジャンルに対する視聴回数及び視聴時間などの情報と、過去に視聴した番組又はコンテンツのタイトルの情報と、該タイトルに対する視聴回数及び視聴時間などの情報とを含んだもので構成される情報である。
【００１１】
上記構成によれば、利用情報管理手段は、上記利用情報を記録装置に記録し、視聴優先度管理手段は、上記利用情報の内容に応じて、番組又はコンテンツを順位付けし、視聴メディア自動切替手段は順位の一番高い番組又はコンテンツを自動的に表示部に表示させる。
【００１２】
ここで、視聴回数が多い番組又はコンテンツは、ユーザの好みの番組であるといえるため、利用情報の内容に応じた順位付けは、ユーザの好みが反映された順位付けであるといえる。従って、視聴メディア自動切替装置は、番組のみならず、コンテンツ、並びに、記録装置に記録された番組及びコンテンツのうち、ユーザが好みの番組、コンテンツ、並びに記録装置に記録された番組及びコンテンツを自動的にユーザに提供することができるという効果を奏する。
【００１３】
また、上記構成によれば、ユーザは、視聴したい番組又はコンテンツが同時刻に表示部に表示可能な場合においても、最も興味のある番組又はコンテンツを視聴しながら、視聴する番組又はコンテンツ以外の番組及び／又はコンテンツを自動的に記録することが出来る。そのため、より利便性が高い視聴メディア自動切替装置を提供することができる。
【００１４】
また、本発明における視聴メディア自動切替装置の上記利用情報管理手段は、ユーザの好みの出演者、番組のタイトル、及びキーワードを含むユーザ嗜好情報を記録装置に記録し、上記視聴優先度管理手段はさらに、上記ユーザ嗜好情報の内容に応じて、上記テレビ放送受信部が受信した番組、上記インターネット受信部が受信したコンテンツ、並びに、上記テレビ放送受信部が受信した番組及び／又は上記インターネット受信部が受信したコンテンツであって、予め記録装置に記録された番組及び／又はコンテンツを順位付けした優先度リストを記録装置に記録することが好ましい。
【００１５】
上記構成によれば、利用者情報管理手段は、上記ユーザ嗜好情報を記録装置に記録し、視聴優先度管理手段は、ユーザ嗜好情報の内容と、利用情報の内容とに応じて番組又はコンテンツを順位付けし、視聴メディア自動切替手段は順位の一番高い番組又はコンテンツを自動的に表示部に表示させる。
【００１６】
これにより、視聴メディア自動切替装置は、更に、ユーザの好みの番組又はコンテンツを自動的にユーザに提供することができる。
【００１７】
また、本発明における視聴メディア自動切替装置の上記コンテンツ情報管理手段は、上記コンテンツ情報管理手段によって記録されたコンテンツ情報が最新の状態になるよう、上記インターネット受信部からコンテンツ情報を受信し、上記コンテンツ情報を更新することが好ましい。
【００１８】
上記構成によれば、コンテンツ情報管理手段は、インターネット受信部が受信するコンテンツについて、最新の情報を取得し、記録装置に記録することにより、視聴メディア自動切替手段は、自動的に表示部に新しいコンテンツを表示させることができる。
【００１９】
また、本発明における視聴メディア自動切替装置の上記コンテンツ情報管理手段が更新するコンテンツ情報は、他のユーザによる上記コンテンツへのアクセス数をさらに含み、上記視聴優先度管理手段はさらに、上記コンテンツへのアクセス数に応じて、上記テレビ放送受信部が受信した番組、上記インターネット受信部が受信したコンテンツ、並びに、上記テレビ放送受信部が受信した番組及び／又は上記インターネット受信部が受信したコンテンツであって、予め記録装置に記録された番組及び／又はコンテンツを順位付けした優先度リストを記録装置に記録することが好ましい。
【００２０】
上記構成によれば、コンテンツ情報管理手段は、インターネット受信部が受信するコンテンツについて、他のユーザのアクセス数を取得し、記憶装置に記憶する。ここで、他のユーザが頻繁にアクセスしているコンテンツは、一般的に人気が有るコンテンツであると言えるため、ユーザにとって興味があるコンテンツである可能性が高い。そのため、他のユーザのアクセス数に応じて、表示装置に表示された番組又はコンテンツは、ユーザの好みの番組又はコンテンツであるといえる可能性が高く、視聴メディア自動切替装置は、このような番組又はコンテンツを自動的にユーザに提供することができる。
【００２１】
また、本発明における視聴メディア自動切替装置は、上記設定手段は、上記視聴メディア自動切替手段に、上記視聴優先度管理手段によって記録装置に記録された優先度リストより、順位の最も高い番組又はコンテンツを自動的に表示部に表示させること、又は、順位の高い順に番組及びコンテンツを並べて表示部に表示させることを、ユーザからの指示に従って設定することが好ましい。
【００２２】
上記構成によれば、ユーザの好みの番組及びコンテンツが１つの場合においても、複数ある場合においても、ユーザの好みの番組及びコンテンツを自動的に表示することができるため、ユーザの好みに応じた番組及びコンテンツの提供が可能となる。
【００２３】
なお、順位の高い順に番組及びコンテンツを並べて表示部に表示させる場合には、ユーザが視聴する番組又はコンテンツの１つを選択することによって、選択された番組又はコンテンツが、全画面表示されることが好ましい。
【００２４】
また、本発明における視聴メディア自動切替装置の上記記録装置は、上記番組情報管理手段が記録した番組情報と、上記コンテンツ情報管理手段が記録したコンテンツ情報と、上記視聴メディア記録手段が記録した記録済視聴メディア情報とを含む視聴メディア情報データベースを含んでもよい。
【００２５】
また、本発明における視聴メディア自動切替装置の上記記録装置は、上記利用情報管理手段が記録した利用情報、及び／又は、上記利用情報管理手段によって記録され、ユーザの好みの出演者、番組のタイトル、及びキーワードを含むユーザ嗜好情報を含む嗜好情報データベースを含んでもよい。
【００２６】
また、本発明における視聴メディア自動切替装置の上記記録装置は、上記視聴優先度管理手段が記録装置に記録した優先度リストを含む視聴メディア優先度データベースを含んでもよい。
【００２７】
これらのデータベースを含むことにより、より、ユーザの好みにあった番組及びコンテンツをユーザに提供することができる。
【００２８】
また、上記嗜好情報データベースは、１又は複数のユーザ毎、及び、１又は複数のユーザからなる１又は複数のグループ毎に管理されてもよい。
【００２９】
また、視聴メディア優先度データベースは、１又は複数のユーザ毎、及び、１又は複数のユーザからなる１又は複数のグループ毎に管理されてもよい。
【００３０】
これにより、複数のユーザの好みに合った番組及びコンテンツを提供することができる。
【００３１】
また、上記視聴メディア自動切替装置を備えている表示装置、上記視聴メディア自動切替装置が備えているコンピュータを動作させるプログラムであって、上記コンピュータを上記の各手段として実行させるためのプログラム、および当該プログラムを記録したコンピュータ読み取り可能な記録媒体も本発明の技術的範囲に含まれる。
【発明の効果】
【００３２】
以上のように、本発明における視聴メディア自動切替装置は、テレビ放送番組と該番組を示す番組情報とを受信するテレビ放送受信部と、インターネット上のコンテンツと該コンテンツを示すコンテンツ情報とを受信するインターネット受信部と、テレビ放送受信部が受信した番組、又はインターネット受信部が受信したコンテンツを表示する表示部とを有する表示装置を制御する視聴メディア自動切替装置であって、上記テレビ放送受信部が受信した番組情報を記録装置に記録する番組情報管理手段と、上記インターネット受信部が受信したコンテンツ情報を記録装置に記録するコンテンツ情報管理手段と、上記テレビ放送受信部が受信した番組及び上記インターネット受信部が受信したコンテンツのうち、ユーザによって選択された番組及びコンテンツを記録装置に記録すると共に、記録装置に記録した番組の上記番組情報及び記録装置に記録したコンテンツの上記コンテンツ情報を含む記録済視聴メディア情報を作成し、該記録済視聴メディア情報を記録装置に記録する視聴メディア記録手段と、上記表示部に表示した番組、コンテンツ、並びに、記録装置に記録された番組及びコンテンツに対するユーザの視聴状況を示す利用情報を、上記表示部に表示した番組の番組情報、上記表示部に表示したコンテンツのコンテンツ情報、並びに、記録装置に記録された番組及びコンテンツの記録済視聴メディア情報とそれぞれ関連付けて、記録装置に記録する利用情報管理手段と、上記利用情報の内容に応じて、（１）上記テレビ放送受信部が受信した番組、（２）上記インターネット受信部が受信したコンテンツ、並びに、（３）上記テレビ放送受信部が受信した番組及び／又は上記インターネット受信部が受信したコンテンツであって、予め記録装置に記録された番組及び／又はコンテンツを順位付けし、該順位と、番組情報、コンテンツ情報、及び、記録済視聴メディア情報とを関連付けた優先度リストを記録装置に記録する視聴優先度管理手段と、上記視聴優先度管理手段によって記録装置に記録された優先度リストより、順位の高い番組又はコンテンツを自動的に表示部に表示させる視聴メディア自動切替手段と、を備え、上記番組情報管理手段、及び、上記コンテンツ情報管理手段が同時間帯に上記表示部に表示可能な放送番組及び／又はインターネット上のコンテンツが存在すると確認したとき、上記視聴優先度管理手段にて記録装置に記録した優先度リストにおいて、上記同時間帯に上記表示部に表示可能な放送番組及び／又はインターネット上のコンテンツのうち順位の最も高い番組又はコンテンツを自動的に表示部に表示させ、その他の番組及び／又はコンテンツを記録するよう上記視聴メディア記録手段に指示することを設定する設定手段を更に備えていることを特徴としている。
【００３３】
これにより、ユーザの利用頻度が高い番組又はコンテンツを自動的に表示部に表示させることができる。また、ユーザは、視聴したい番組又はコンテンツが同時刻に表示部に表示可能な場合においても、最も興味のある番組又はコンテンツを視聴しながら、視聴する番組又はコンテンツ以外の番組及び／又はコンテンツを自動的に記録することが出来る。よって、視聴メディア自動切替装置は、ユーザの好みの番組又はコンテンツを自動的にユーザに提供することができるという効果を奏する。
【図面の簡単な説明】
【００３４】
【図１】本発明における表示装置の構成及び表示装置を操作する視聴メディア自動切替装置の構成を示す図である。
【図２】図１に示す視聴メディア自動切替装置における視聴メディア自動切替方法の一連の流れを示すフローチャートである。
【図３】視聴メディア情報データベースの一例を示した図であり、（ａ）は、番組情報の一例を示した図であり、（ｂ）は、コンテンツ情報の一例を示した図であり、（ｃ）は、記録済視聴メディア情報の一例を示した図である。
【図４】視聴メディア記録部が、番組情報及びコンテンツ情報と関連付けて記録装置に記録した番組及びコンテンツの一例を示す図である。
【図５】嗜好データベースの一例を示した図であり、（ａ）は、メディア別の過去視聴習慣リストの一例を示した図であり、（ｂ）は、ジャンル別の過去視聴習慣リストの一例を示した図であり、（ｃ）は、出演者別の過去視聴習慣リストの一例を示した図であり、（ｄ）は、タイトル別の過去視聴習慣リストの一例を示した図であり、（ｅ）は嗜好設定リストの一例を示した図である。
【図６】視聴メディア優先度データベースに含まれるユーザの好みに応じてポイントが付与された視聴優先度リストの一例を示した図である。
【発明を実施するための形態】
【００３５】
本発明の実施形態について、図面に基づいて説明すれば以下のとおりである。
【００３６】
〔表示装置の構成〕
まず、表示装置１の構成及び表示装置１を制御する視聴メディア自動切替装置１０の構成について、図１を参照して説明する。図１は、表示装置１の構成及び表示装置１を制御する視聴メディア自動切替装置１０の構成を示すブロック図である。
【００３７】
図１に示すように、表示装置１は、視聴メディア自動切替装置１０、テレビ放送受信部１１、インターネット受信部１２、入力受信部１３、入力情報管理部１４、及び、表示部１５を備えている。
【００３８】
また、視聴メディア自動切替装置１０は、番組情報管理部（番組情報管理手段）１０１、コンテンツ情報管理部（コンテンツ情報管理手段）１０２、視聴メディア記録部（視聴メディア記録手段）１０３、利用情報管理部（利用情報管理手段）１０４、ポイント算出部（ポイント算出手段）１０５、視聴優先度管理部（視聴優先度管理手段）１０６、設定部（設定手段）１０７、視聴メディア自動切替エンジン（視聴メディア自動切替手段）１０８、及び、記録装置１２０を備えている。また、記録装置１２０には、視聴メディア情報データベース１２１、嗜好データベース１２２、及び、視聴メディア優先度データベース１２３が含まれている。
【００３９】
テレビ放送受信部１１は、地上放送、ＢＳ放送、ＣＳ放送、ケーブルテレビ放送等、のテレビ放送番組（以下、番組と呼ぶ）と、該番組を示す放送番組情報（以下、番組情報と呼ぶ）とを受信する。番組情報は、放送波に多重されて送信されたデータ等から得ることができる。また、テレビ放送受信部１１は、受信した番組及び番組情報を、視聴メディア記録部１０３、及び視聴メディア自動切替エンジン１０８に供給する。また、番組情報を番組情報管理部１０１に供給する。
【００４０】
インターネット受信部１２は、インターネット上のコンテンツ（以下、コンテンツと呼ぶ）と、該コンテンツを示すインターネット上コンテンツ情報（以下、コンテンツ情報と呼ぶ）とを受信する。コンテンツ情報は、インターネット上のコンテンツにアクセスした際に得ることができる。また、インターネット受信部１２は、受信したコンテンツ及びコンテンツ情報を、視聴メディア記録部１０３、及び視聴メディア自動切替エンジン１０８に供給する。また、コンテンツ情報をコンテンツ情報管理部１０２に供給する。
【００４１】
入力受信部１３は、ユーザからの指示信号を受信する。ユーザからの指示信号とは、例えば、番組又はコンテンツを記録装置１２０に記録する指示（録画指示）を示す信号、ユーザの好みの出演者、番組のタイトル、及びキーワードを含むユーザ嗜好情報を記録装置１２０に記録するための指示（嗜好情報記録指示）を示す信号、及び、後述する視聴メディア自動切替エンジン１０８が視聴優先度管理部１０６によって記録装置１２０に記録された視聴メディア優先度リストより、順位の最も高い番組又はコンテンツを自動的に表示部１５に表示させること、又は、順位の高い順に番組及びコンテンツを並べて表示部１５に表示させることを設定する指示（設定指示）を示す信号等である。入力受信部１３は、受信した指示信号を入力情報管理部１４に送信する。
【００４２】
入力情報管理部１４は、入力受信部１３から受信した指示信号に含まれる指示を実行するよう各部に指示する。例えば、受信した指示信号が録画指示を示す信号である場合、入力情報管理部１４は、視聴メディア記録部１０３に、番組又はコンテンツを記録装置１２０に記録するよう指示する。受信した指示信号が嗜好情報記録指示を示す信号である場合、入力情報管理部１４は、利用情報管理部１０４に、ユーザ嗜好情報を記録装置１２０に記録するよう指示する。また、受信した指示信号が設定指示を示す信号である場合、入力情報管理部１４は、視聴メディア自動切替エンジン１０８が視聴優先度管理部１０６によって記録装置１２０に記録された視聴メディア優先度リストより、順位の最も高い番組又はコンテンツを自動的に表示部１５に表示させること、又は、順位の高い順に番組及びコンテンツを並べて表示部１５に表示させることを設定部１０７に指示する。
【００４３】
表示部１５は、視聴メディア自動切替エンジン１０８からの指示に基づき、テレビ放送受信部１１が受信した番組、インターネット受信部１２が受信したコンテンツ、並びに、記録装置１２０に記録された番組及びコンテンツのうち、少なくとも１つを表示する。具体的には、表示部１１は、ＬＣＤ、ＥＬ（Electroluminescence）ディスプレイ、ＰＤＰ（Plasma Display Panel）などの表示素子と、表示素子を駆動するドライバ回路とを備える構成である。
【００４４】
（視聴メディア自動切替装置１０）
視聴メディア自動切替装置１０は、表示装置１内の各種構成を統括的に制御するものである。視聴メディア自動切替装置１０が備えている番組情報管理部１０１、コンテンツ情報管理部１０２、視聴メディア記録部１０３、利用情報管理部１０４、ポイント算出部１０５、視聴優先度管理部１０６、設定部１０７、視聴メディア自動切替エンジン１０８、及び、記録装置１２０について、以下に説明する。
【００４５】
記録装置１２０は、各種データおよびプログラムを記憶するものである。記録装置１２０の例としては、視聴メディア自動切替装置１０が動作するときに必要なプログラム等の固定データを記憶する読出し専用の半導体メモリであるＲＯＭ（Read Only Memory）と、演算に使用するデータ及び演算結果等を一時的に記憶するいわゆるワーキングメモリとしてのＲＡＭ（Random Access Memory）とが挙げられる。
【００４６】
なお、上記ＲＡＭには、ハードディスクドライブ（ＨＤＤ）またはＢＤ（Blu-ray Disc：登録商標）のような書き換え可能なリムーバブルディスクなどを適用することができる。
【００４７】
また、記録装置１２０は、視聴メディア情報データベース１２１、嗜好データベース１２２、及び、視聴メディア優先度データベース１２３を含んでいる。
【００４８】
また、記録装置１２０には、テレビ受信部１１が受信した番組及びインターネット受信部１２が受信したコンテンツと、番組情報及びコンテンツ情報とが各々関連付けて記録されている。
【００４９】
なお、本実施形態では、視聴メディア情報データベース１２１、嗜好データベース１２２、視聴メディア優先度データベース１２３、及び、番組及び／またはコンテンツが記録装置１２０に記録されている場合について説明するが、これらは別々の記録装置１２０に記録されてもよい。
【００５０】
なお、記録装置１２０は、視聴メディア自動切替装置１０内に構成されなくてもよい。つまり、視聴メディア自動切替装置１０とは別に表示装置１内に構成してもよいし、表示装置１とは別の構成としてもよい。
【００５１】
番組情報管理部１０１は、テレビ放送受信部１１から供給された番組情報を視聴メディア情報データベース１２１に記録する。また、番組情報管理部１０１は、視聴メディア情報データベース１２１に記録されている番組情報を取得し、該番組情報をポイント算出部１０５及び視聴優先度管理部１０６に供給する。
【００５２】
コンテンツ情報管理部１０２は、インターネット受信部１２から供給されたコンテンツ情報を視聴メディア情報データベース１２１に記録する。また、コンテンツ情報管理部１０２は、視聴メディア情報データベース１２１に記録されているコンテンツ情報が最新の状態になるよう、インターネット受信部１２からコンテンツ情報を受信し、視聴メディア情報データベース１２１に記録されている該コンテンツ情報を更新する。なお、この処理は、視聴メディア自動切替装置１０が起動状態（電源がＯＮの状態）はもちろん、待機状態（電源がＯＦＦの状態）においても行うことができる。また、更新の頻度は、特に限定されていないが、高頻度で本コンテンツ情報を更新しておくことが好ましい。
【００５３】
また、コンテンツ情報管理部１０２は、視聴メディア情報データベース１２１に記録されているコンテンツ情報を取得し、該コンテンツ情報をポイント算出部１０５及び視聴優先度管理部１０６に供給する。
【００５４】
視聴メディア記録部１０３は、入力情報管理部１４からの指示、又は、視聴メディア自動切替エンジン１０８からの指示に従い、テレビ放送受信部１１が受信した番組及びインターネット受信部１２が受信したコンテンツと、番組情報及びコンテンツ情報とを各々関連付けて記録装置１２０に記録する。また、視聴メディア記録部１０３は、番組及びコンテンツを記録装置１２０に記録した際に、該番組及びコンテンツを示す記録済視聴メディア情報を作成する。視聴メディア記録部１０３は、作成した記録済視聴メディア情報を視聴メディア情報データベース１２１に記録する。
【００５５】
また、視聴メディア記録部１０３は、視聴メディア情報データベース１２１に記録されている記録済視聴メディア情報を取得し、該記録済視聴メディア情報をポイント算出部１０５及び視聴優先度管理部１０６に供給する。
【００５６】
視聴メディア情報データベース１２１は、記録装置１２０に含まれるデータベースであり、番組情報管理部１０１が記録した番組情報と、コンテンツ情報管理部１０２が記録したコンテンツ情報と、視聴メディア記録部１０３が記録した記録済視聴メディア情報とを含んでいる。
【００５７】
図３（ａ）は、視聴メディア情報データベース１２１に記録されている番組情報の一例を示す図であり、（ｂ）は、視聴メディア情報データベース１２１に記録されているコンテンツ情報の一例を示す図であり、（ｃ）は、視聴メディア情報データベース１２１に記録されている記録済視聴メディア情報の一例を示す図である。また、図４は、視聴メディア記録部１０３が、番組情報及びコンテンツ情報と関連付けて記録装置１２０に記録した番組及びコンテンツの一例を示す図である。
【００５８】
番組情報は、図３（ａ）に示すとおり、ある番組が、どのような内容であり、どのチャンネルで、いつ放送されるかを特定できる情報であり、例えば、チャンネル、放送時間、タイトル、出演者、及びジャンル等が記載されている。このような番組情報は、テレビ放送受信部１１によって受信されるＥＰＧ（電子番組表；Electric Program Guide）から取得することができる。
【００５９】
コンテンツ情報は、図３（ｂ）に示すとおり、アクセス用情報（ＵＲＬ）、タイトル、出演者、ジャンル、視聴時間、及び、他者アクセス回数等が記録されている。ここで、他者アクセス回数とは、他のユーザによるコンテンツへのアクセス数である。
【００６０】
記録装置１２０に記録された番組及びコンテンツは、図４に示すとおり、チャンネル又はＵＲＬを示すアクセス用情報、タイトル、出演者、及びジャンルなどの番組情報又はコンテンツ情報と関連付けて記録されている。ここで、図４では、番組及びコンテンツを「番組２」及び「コンテンツ１」と簡略化して記載しているが、実際には、番組及びコンテンツのデータの実体が記録されている。
【００６１】
図４のように記録装置１２０に番組及びコンテンツが記録された際に、視聴メディア記録部１０３が作成する、記録済視聴メディア情報を図３（ｃ）に示す。記録装置１２０に記録された番組及びコンテンツを示す記録済視聴メディア情報は、図３（ｃ）に示すとおり、図４に含まれる、記録チャンネル又は記録アクセス用情報（ＵＲＬ）、記録時間、タイトル、出演者、及び、ジャンル等に加えて、番組又はコンテンツを記録した記録装置１２０内の記録場所を示すＨＤＤ記録番号が記録されている。
【００６２】
なお、本実施形態では、番組又はコンテンツを記録する記録装置１２０の例として、ハードディスクドライブを挙げ、番組又はコンテンツが記録されている場所を示す情報をＨＤＤ記録番号としたが、記録装置１２０はこれに限定されない。例えば、記録装置１２０が、ＢＤ（Blu-ray Disc）であった場合、番組又はコンテンツが記録されているＢＤを示すディスク番号及び番組又はコンテンツが記録されているＢＤ内の記録領域を示すＢＤアドレス情報であってもよい。
【００６３】
なお、番組情報、コンテンツ情報、及び、記録済視聴メディア情報を併せて視聴情報と呼ぶこともでき、その内容はこれに限定されず、そのほかの情報を含んでもよい。例えば、記録済視聴メディア情報に代えて、記録装置１２０に記録された放送番組またはコンテンツの中で、ユーザが過去に視聴した放送番組及び／又はコンテンツを示す履歴情報を作成してもよい。
【００６４】
利用情報管理部１０４は、ユーザが過去に視聴した番組、コンテンツ、並びに、記録装置１２０に記録された番組及びコンテンツに対するユーザの利用状況を示す利用情報を、視聴メディア自動切替エンジン１０８から受信した、該番組の番組情報、該コンテンツのコンテンツ情報、並びに、記録装置１２０に記録された番組及びコンテンツの記録済視聴メディア情報とそれぞれ関連付けて、嗜好データベース１２２に記録する。
【００６５】
ここで、利用情報とは、番組又はコンテンツに対するユーザの利用状況を示す情報であり、例えば、過去に視聴した番組又はコンテンツが、テレビ放送受信部が受信した番組、インターネット受信部が受信したコンテンツ、及び、記録装置１２０に記録された番組及びコンテンツの何れであるかを示すメディア識別情報と、該メディア識別情報で示される視聴メディアに対する視聴回数及び視聴時間などの情報と、過去に視聴した番組又はコンテンツのジャンルを示すジャンル情報と、該ジャンル情報で示されるジャンルに対する視聴回数及び視聴時間などの情報と、過去に視聴した番組又はコンテンツのタイトルの情報と、該タイトルに対する視聴回数及び視聴時間などの情報とを含んだもので構成される情報である。
【００６６】
また、利用情報とは、上記情報に限定されず、例えば、所定時間（例えば、１日）あたり換算した視聴時間及び視聴回数などで示される視聴密度の情報、所定期間（例えば、最近１ヶ月間）の各視聴メディアにおける視聴時間及び視聴回数、視聴曜日の情報、及び、視聴時間帯の情報などを示す情報であってもよいし、上記視聴曜日および視聴時間帯の情報などを数値で表した数値データであってもよい。
【００６７】
また、利用情報管理部１０４は、入力情報管理部１４からの指示に従い、ユーザの好みの出演者、番組のタイトル、及びキーワードを含むユーザ嗜好情報を嗜好データベース１２２に記録する。なお、ユーザが過去に視聴した該番組の番組情報、該コンテンツのコンテンツ情報、並びに、記録装置１２０に記録された番組及びコンテンツの記録済視聴メディア情報（履歴情報）を含む情報を視聴情報と呼ぶ。
【００６８】
また、利用情報管理部１０４は、嗜好データベース１２２から利用情報及びユーザ嗜好情報を取得し、取得した利用情報及びユーザ嗜好情報を、ポイント算出部１０５に供給する。利用情報管理部１０４は、供給した利用情報及びユーザ嗜好情報の内容に応じて算出されたポイントをポイント算出部１０５から受信する。利用情報管理部１０４は、受信したポイントを利用情報及びユーザ嗜好情報に関連付けて記録する。
【００６９】
嗜好データベース１２２は、記録装置１２０に含まれるデータベースであり、利用情報管理部１０４によって記録装置１２０に記録された利用情報とユーザ嗜好情報とを含んでいる。
【００７０】
なお、利用情報及びユーザ嗜好情報をリスト形式にしたものを、それぞれ過去視聴習慣リスト及び嗜好設定リストと呼ぶ。つまり、過去視聴習慣リストは過去の視聴習慣をリスト化したものであり、嗜好設定リストは利用者の嗜好をリスト化したものであると言える。
【００７１】
図５は、嗜好データベース１２２に記録されている過去視聴習慣リスト及び嗜好設定リストの一例を示した図である。
【００７２】
図５（ａ）は、過去視聴習慣リスト（メディア別視聴習慣リスト）の一例を示した図である。図５（ａ）に示すように、過去に視聴した番組又はコンテンツが、テレビ放送受信部１１が受信した番組、インターネット受信部が受信したコンテンツ、及び、記録装置１２０に記録された番組及びコンテンツの何れであるかを示すメディア識別情報と、該メディア識別情報で示される視聴メディアに対する視聴回数及び視聴時間などの情報が関連付けて記録されている。また、後述するポイント算出部１０５にて視聴回数及び視聴時間から算出された視聴メディア優先度寄与ポイント（以降、寄与ポイントと呼ぶ）が付与されている。
【００７３】
図５（ｂ）は、過去視聴習慣リスト（ジャンル別視聴習慣リスト）の一例を示し、図５（ｃ）は、過去視聴習慣リスト（出演者別視聴習慣リスト）の一例を示し、図５（ｄ）は、過去視聴習慣リスト（タイトル別視聴習慣リスト）の一例を示す図である。図５（ｂ）〜図５（ｄ）に示すように、番組情報、コンテンツ情報、及び記録済視聴メディア情報に含まれる、ジャンル情報、出演者、及びタイトル毎に、視聴回数、視聴時間及び寄与ポイントが関連付けて記録されていることがわかる。
【００７４】
図５（ｅ）は、嗜好設定リストの一例を示す図である。図５（ｅ）に示すように、嗜好設定リストは、ユーザが視聴を希望する、ジャンル、出演者、タイトル及びフリーワード（フリーキーワード）を含んでいる。また、ポイント算出部１０５にて算出された寄与ポイントが付与されている。
【００７５】
なお、過去視聴習慣リストは上述した、メディア別視聴習慣リスト、ジャンル別視聴習慣リスト、出演者別視聴習慣リスト及びタイトル別視聴習慣リストに限定されず、例えば、チャンネル別に記録されたリストであってもよい。また、過去視聴習慣リスト及び嗜好設定リストの内容は、これに限定されず、そのほかの情報を含んでもよい。
【００７６】
ポイント算出部１０５は、利用情報管理部１０４から供給された利用情報及びユーザ嗜好情報の内容に応じてポイントに所定の重みをつけたポイント（寄与ポイント）を算出する。
【００７７】
具体的には、図５（ａ）に示すメディア別視聴習慣リストに示される寄与ポイントの場合、ポイント算出部１０５は、例えば、視聴メディア別に記録されている視聴回数の合計値を算出し、各視聴メディアに対する視聴回数と視聴回数の合計値との比（視聴回数比）を算出する。同様に視聴メディア別に記録されている視聴時間の合計値を算出し、各視聴メディアに対する視聴時間と視聴時間の合計値との比（視聴時間比）を算出する。ポイント算出部１０５は、算出した視聴回数比と視聴時間比とを寄与ポイントに重みとしてつけ、寄与ポイントを算出する。
【００７８】
例として、図５（ａ）のメディア別視聴習慣リストを基に、上記寄与ポイントの算出の仕方を説明する。今、メディア別視聴習慣リストには、実際に、図５（ａ）に示すとおり、ＢＳの視聴履歴と、記録済視聴メディアの視聴履歴との２つが記録されているとする。
【００７９】
この場合、まず、視聴メディア別に記録されている視聴回数の合計値は、ＢＳの８回と記録済視聴メディアの６回とを合わせて、１４回となる。したがって、視聴回数比は、ＢＳが８／１４、記録済視聴メディアが６／１４となる。
【００８０】
視聴時間についても同様に計算すると、ＢＳが５３／７８、記録済視聴メディアが２５／７８となる。
【００８１】
寄与ポイントを算出するための１回あたりの基礎点を１０ポイントとすると、視聴回数について、ＢＳの寄与ポイントは、１０×８／１４≒５．７＝６となり、記録済視聴メディアの寄与ポイントは、１０×６／１４≒４．３＝４となる。
【００８２】
また、視聴時間について、ＢＳの寄与ポイントは、１０×５３／７８≒６．８＝７となり、記録済視聴メディアの寄与ポイントは、１０×２５／７８≒３．２＝３となる。
【００８３】
したがって、今回のメディア別視聴習慣リストの更新に際して、新たに取得されたＢＳの寄与ポイント合計は、６＋７＝１３となり、記録済視聴メディアの寄与ポイント合計は、４＋３＝７となる。
【００８４】
更新前のＢＳの寄与ポイントは、図５（ａ）に示すように、３０６なので、新たに取得された寄与ポイントが加算される結果、更新後のＢＳの寄与ポイントは、３１９となり、同様に、更新後の記録済視聴メディアの寄与ポイントは、２５となる。
【００８５】
また、図５（ｅ）に示す嗜好設定リストに示される寄与ポイントの場合、ポイント算出部１０５は、視聴希望の嗜好項目に対して各順位につき重み付けを行うことにより、寄与ポイントを算出する。例えば、ジャンル情報において「ドラマ」の項目が１番多い場合は、ジャンルが「ドラマ」の嗜好設定リストの寄与ポイントが高くなるよう寄与ポイントを算出する。
【００８６】
また、利用情報が視聴時間帯（数値データ）の情報の場合、例えば、過去に、２０時〜２１時に、テレビの音楽番組を見たという利用情報と、テレビの洋画を見たという利用情報とが記録されているとして、２０時にテレビのスイッチをユーザが入れたとき、時間帯が一致するテレビの歌番組及びテレビの洋画について、それぞれ寄与ポイントを与え、違う時間にテレビのスイッチをユーザが入れたとき、２０時から時間が離れるに従って上記寄与ポイントより小さい寄与ポイントを付与するといった重みをつけることも可能である。
【００８７】
また、時間帯だけでなく、曜日、日、及び月の情報を数値化し、数値が一致する場合には大きい寄与ポイントを付与するなどの重みを加えることにより、ポイント算出部１０５は、平日の朝はニュース、夜はドラマ、日曜の昼は競馬が見たいといった様々なユーザの利用情報に対応した寄与ポイントを算出することが可能である。
【００８８】
ポイント算出部１０５は、上記のようにして算出した寄与ポイントを、利用情報管理部１０４に送信する。
【００８９】
また、ポイント算出部１０５は、視聴優先度管理部１０６からの指示に従い、番組情報管理部１０１から供給される番組情報、コンテンツ情報管理部１０２から供給されるコンテンツ情報、視聴メディア記録部１０３から供給される記録済視聴メディア情報、並びに、利用情報管理部から供給される過去視聴習慣リスト、及び、嗜好設定リストを参照し、テレビ放送受信部１１が受信した番組毎、インターネット受信部１２が受信したコンテンツ毎、及び、テレビ放送受信部１１が受信した番組及び／又はインターネット受信部１２が受信したコンテンツであって、予め記録装置１２０に記録された番組及び／又はコンテンツ毎に視聴メディア優先度ポイント（以下、ポイントと呼ぶ）を算出する。
【００９０】
例えば、ポイント算出部１０５が、番組情報管理部１０１から供給された番組情報から、現在（例えば、水曜日の１９時の時点）、女性Ｊが出演するドラマがＢＳ放送で放送されていると判断した場合、ポイント算出部１０５は、嗜好データベース１２２に含まれる図５（ａ）に示すメディア別視聴習慣リストより、ＢＳ放送に付与されている寄与ポイントを取得する。また、ポイント算出部１０５は、嗜好データベース１２２に含まれる図５（ｂ）に示すジャンル別視聴習慣リストより、ドラマに付与されている寄与ポイントを取得する。加えて、ポイント算出部１０５は、嗜好データベース１２２に含まれる図５（ｃ）に示す出演者別視聴習慣リストより、女性Ｊに付与されている寄与ポイントを取得する。ポイント算出部１０５は、取得した各寄与ポイントを合計し、該番組のポイントを算出する。
【００９１】
このように、番組情報、コンテンツ情報、及び記録済視聴メディア情報に含まれる情報と嗜好データベース１２２とを参照し、テレビ放送受信部１１が受信した番組毎、インターネット受信部１２が受信したコンテンツ毎、及び、テレビ放送受信部１１が受信した番組及び／又はインターネット受信部１２が受信したコンテンツであって、予め記録装置１２０に記録された番組及び／又はコンテンツ毎にポイントを算出する。ポイント算出部１０５は、算出したポイントを視聴優先度管理部１０６に供給する。
【００９２】
また、ポイント算出部１０５は、記録装置１２０から視聴情報及び数値データを呼び出して、視聴メディアのそれぞれについて、数値データを所定の演算式に代入することにより、ユーザの利用状況を示すポイントを求める演算を行うということもできる。
【００９３】
なお、ポイント算出部１０５は、過去視聴習慣リスト及び嗜好設定リストに含まれる寄与ポイントをそのまま合計することで、上記ポイントを算出することに限定されず、利用者の好みに合わせて、割合を変化させて算出することも可能である。例えば、嗜好設定リストに含まれる寄与ポイントは２倍にして、ポイントを算出することも可能である。
【００９４】
また、ポイント算出部１０５は、コンテンツ情報管理部１０２から供給されたコンテンツ情報に含まれる他のユーザによるアクセス数に応じて重みをつけたポイントを寄与ポイントとして算出し、コンテンツ毎のポイントに付与することも可能である。ここで、他のユーザが頻繁にアクセスしているコンテンツは、一般的に人気が有るコンテンツであると言えるため、ユーザにとって興味があるコンテンツである可能性が高い。そのため、他のユーザのアクセス数より算出されたポイントを付与することにより、よりユーザの好みが反映されたポイントを算出することができる。
【００９５】
視聴優先度管理部１０６は、嗜好データベース１２２に含まれる過去視聴習慣リスト及び嗜好設定リストを用いて、テレビ放送受信部１１が受信した番組毎、インターネット受信部１２が受信したコンテンツ毎、及び、テレビ放送受信部１１が受信した番組及び／又はインターネット受信部１２が受信したコンテンツであって、予め記録装置１２０に記録された番組及び／又はコンテンツ毎にポイントを算出するようポイント算出部１０５に指示する。
【００９６】
また、視聴優先度管理部１０６は、ポイント算出部１０５から供給されたポイントの大きい順に、テレビ放送受信部１１が受信した番組、インターネット受信部１２が受信したコンテンツ、並びに、テレビ放送受信部１１が受信した番組及び／又はインターネット受信部１２が受信したコンテンツであって、予め記録装置１２０に記録された番組及び／又はコンテンツを順位付けし、該順位と、番組情報管理部１０１から供給された番組情報、コンテンツ情報管理部１０２から供給されたコンテンツ情報、及び、視聴メディア記録部１０３から供給された記録済視聴メディア情報とを関連付けた視聴メディア優先度リスト（以下、優先度リストと呼ぶ）を視聴メディア優先度データベース１２３に記録する。
【００９７】
即ち、優先度リストは、視聴メディア情報データベース１２１に記録されている番組情報、コンテンツ情報、及び、記録済視聴メディア情報で示される各番組又はコンテンツに対して、嗜好情報データベース１２２に記録されている過去視聴習慣リスト及び嗜好設定リストに含まれる寄与ポイントを加算することにより、ポイントを算出して、そのポイントの大きいものから各番組及び各コンテンツを順位付けし、該順位の順に配列し、リスト化したものであると言える。
【００９８】
なお、優先度リストに含まれる番組情報及びコンテンツ情報が示す番組及びコンテンツは、優先度リストが作成又は更新される時点で視聴可能な番組及びコンテンツである。例えば、優先度リストは、ＥＰＧを参照して、現在放送中の番組（視聴可能な番組）をリストすることにより、作成することができる。また、例えば、優先度リストは、コンテンツ情報に含まれるアクセス用情報にコンテンツ情報を更新する時点でアクセス可能であるコンテンツ（視聴可能なコンテンツ）をリストすることにより、作成することができる。
【００９９】
なお、優先度リストは、視聴メディア自動切替装置１０が起動状態（電源がＯＮの状態）はもちろん、待機状態（電源がＯＦＦの状態）においても更新することができる。また、更新の頻度は、特に限定されていないが、高頻度で本優先度リストを更新しておくことが好ましい。
【０１００】
視聴メディア優先度データベース１２３は、記録装置１２０に含まれるデータベースであり、視聴優先度管理部１０６によって記録された優先度リストを含んでいる。
【０１０１】
図６は、視聴メディア優先度データベース１２３に記録されている優先度リストの一例を示す図である。図６に示すように、優先度リストは、視聴優先度（順位）、視聴メディア、アクセス用情報、視聴時間、視聴メディア優先度ポイント（ポイント）を含んでいる。このように、ポイントの大きい順に順位付けされた、番組情報、コンテンツ情報、及び記録済視聴メディア情報がポイントと共に記録されている。
【０１０２】
設定部１０７は、入力情報管理部１４からの設定指示に従い、（１）視聴メディア自動切替エンジン１０８に、優先度リストの順位の最も高い番組又はコンテンツを自動的に表示部１５に表示させること、又は、（２）順位の高い順に番組及びコンテンツを並べて表示部１５に表示させることを設定する。設定部１０７は、設定した内容を視聴メディア自動切替エンジン１０８に送信する。
【０１０３】
視聴メディア自動切替エンジン１０８は、設定部１０７から送信された内容に従い、表示部１５に番組又はコンテンツを表示させる。つまり、設定部１０７が設定した内容が（１）の場合、視聴メディア自動切替エンジン１０８は、視聴優先度管理部１０６によって記録装置１２０の視聴メディア優先度データベース１２３に記録された優先度リストより、順位の最も高い番組又はコンテンツをテレビ放送受信部１１、インターネット受信部１２及び記録装置１２０のうち何れか１つから取得し、自動的に表示部１５に表示させる。
【０１０４】
また、視聴メディア自動切替エンジン１０８は、表示部１５に表示させた番組又はコンテンツの番組情報、コンテンツ情報、又は記録済視聴メディア情報を利用情報管理部１０４に送信する。
【０１０５】
また、設定部１０７が設定した内容が（２）の場合、視聴メディア自動切替エンジン１０８は、優先度リストより、順位の高い順に番組及びコンテンツを並べて表示部１５に表示させる。
【０１０６】
なお、設定部１０７が設定した内容が（２）の場合、ユーザが視聴する番組又はコンテンツの１つを選択することによって、選択された番組又はコンテンツが、表示部１５に全画面表示されることが好ましい。
【０１０７】
これにより、ユーザの好みの番組及びコンテンツが１つの場合においても、複数ある場合においても、ユーザの好みの番組及びコンテンツを自動的に表示することができるため、ユーザの好みに応じた番組及びコンテンツの提供が可能となる。
【０１０８】
〔視聴メディア自動切替方法の流れ〕
次に、図１に示す視聴メディア自動切替装置１０における視聴メディア自動切替方法の流れを説明する。図２は、視聴メディア自動切替装置１０における視聴メディア自動切替方法の一連の流れを示すフローチャートである。ここでは、表示部１５には、優先度リストの順位の最も高い番組又はコンテンツを表示させる場合を例に説明を行う。
【０１０９】
視聴メディア自動切替装置１０の電源（システム電源）をＯＮにする（ステップＳ１、以下単にＳ１と記載する）。ここで、視聴メディア自動切替装置１０の電源のＯＮは、待機状態からの復帰を主としている。これにより、コンテンツ情報管理部１０２は、コンテンツ自動切替装置１０の待機状態において、視聴メディア情報データベース１２１に記録されているコンテンツ情報が最新の状態になるよう、該コンテンツ情報を更新することができ、ポイント算出部１０５はこのコンテンツ情報を用いてポイントを算出することができる。この場合、電源をＯＮにしたときだけ該コンテンツ情報を更新する場合と比べて、優先度リストの精度を定常的に高めておくことができるという効果がある。
【０１１０】
その後、優先度リストが最新の状態になるよう視聴優先度管理部１０６は、優先度リストを更新する（Ｓ２）。つまり、番組情報管理部１０１は、図３（ａ）に示す番組情報を更新し、コンテンツ情報管理部１０２は、図３（ｂ）に示すコンテンツ情報を更新し、視聴メディア記録部１０３は、図３（ｃ）に示す記録済視聴メディア情報を更新し、利用情報管理部１０４は、図５（ａ）〜（ｅ）に示す過去視聴習慣リスト及び嗜好設定リストを更新する。その後、視聴優先度管理部１０６は、更新された番組情報、コンテンツ情報、記録済視聴メディア情報、過去視聴習慣リスト、及び嗜好設定リストを参照し、優先度リストを更新する。なお、Ｓ１に続けてＳ２を実行することは、優先度リストに基づいて、順位の高い番組又はコンテンツを自動的に表示部１５に表示させるという本発明の本質にとって、必須ではない。例えば、ユーザの指示に基づいて、Ｓ２を適宜実行する形態でもよい。
【０１１１】
続いて、視聴メディア自動切替エンジン１０８は、更新された優先度リスト、あるいはその時点の優先度リストから最も優先度の高い（第１視聴優先度）番組又はコンテンツを選択する（Ｓ３）。
【０１１２】
第１視聴優先度の番組又はコンテンツがテレビ放送番組である場合（Ｓ４にてテレビ放送）、視聴メディア自動切替エンジン１０８は、テレビ放送受信部１１から該番組（対象番組）を受信する（Ｓ５）。
【０１１３】
第１視聴優先度の番組又はコンテンツがインターネット上のコンテンツである場合（Ｓ４にてインターネット上コンテンツ）、視聴メディア自動切替エンジン１０８は、インターネット受信部１２から該コンテンツ（対象コンテンツ）を受信する（Ｓ６）。
【０１１４】
第１視聴優先度の番組又はコンテンツが予め記録装置１２０に記録した番組又はコンテンツである場合（Ｓ４にて記録済視聴メディア）、視聴メディア自動切替エンジン１０８は、記録装置１２０から該番組又はコンテンツ（対象記録済視聴メディア）を読み出す（Ｓ７）。
【０１１５】
視聴メディア自動切替エンジン１０８は、Ｓ５、Ｓ６、及びＳ７の何れか１つから受信又は読み出した、番組又はコンテンツ（表示対象視聴メディア）の映像、音声、及びデータなどを表示部１５に表示させる（Ｓ８）。
【０１１６】
ここで、Ｓ４からＳ８までの処理を、図６を用いて説明する。
【０１１７】
図６に示す優先度リストにおいて、第１視聴優先度の番組又はコンテンツは、インターネット上コンテンツであることがわかる。このため、視聴メディア自動切替エンジン１０８は、インターネット受信部１２がアクセス用情報に記載のＵＲＬ(http://www.douga.co.jp/5g8j9lm)から受信したコンテンツを、視聴時間で記載の１５分間受信し、表示部１５に表示させる。
【０１１８】
仮に、第１視聴優先度の番組又はコンテンツが、図６では、第３視聴優先度となっているテレビ放送であった場合、視聴メディア自動切替エンジン１０８は、テレビ放送受信部１１がアクセス用情報に記載のチャンネル(チャンネル=ＣＳ２０５)から受信した番組を２０：００〜２１：５８の間、受信し、表示部１５に表示させる。
【０１１９】
また、例えば、第１視聴優先度の番組又はコンテンツが、図６では、第２視聴優先度となっている予め記録装置１２０に記録した番組又はコンテンツである場合、視聴メディア自動切替エンジン１０８は、記録装置１２０に記録されている場所を示す、アクセス用情報に記載のＨＤＤ記録番号(５６９)から、番組又はコンテンツを読み出し、読み出した番組又はコンテンツを視聴時間で記載の５３分間、表示部１５に表示させる。
【０１２０】
Ｓ８において、番組又はコンテンツの表示部１５への表示が終了し、ユーザが視聴メディア自動切替装置１０の利用を終了する（視聴メディア自動切替装置１０の電源をＯＦＦにする）と（Ｓ９にてＹｅｓ）、視聴メディア自動切替装置１０は、待機状態に遷移する（Ｓ１０）。ユーザが視聴メディア自動切替装置１０の電源をＯＦＦにしない場合、ユーザは視聴メディア自動切替装置１０の利用を終了しないため（Ｓ９にてＮｏ）、再度、Ｓ２に遷移し、視聴メディア自動切替エンジン１０８は、このときの優先度リストに基づき、優先度が最も高い番組又はコンテンツを表示部１５に表示させる。
【０１２１】
このように、ユーザは、煩わしいリモコン操作などを行うことなく、第１視聴優先度の番組又はコンテンツを、自動的に視聴することができる。
【０１２２】
以上のように、視聴メディア自動切替装置１０の利用情報管理部１０４は、上記利用情報及びユーザ嗜好情報を記録装置に記録し、ポイント算出部１０５は、上記利用情報及び上記ユーザ嗜好情報からユーザの利用状況及びユーザ嗜好情報に応じて重みをつけ、番組毎、コンテンツ毎、及び、記録された番組及びコンテンツ毎に算出する。つまり、ポイント算出部１０５は、ユーザの利用頻度が高い番組又はコンテンツ、並びに、ユーザ嗜好情報が含まれる番組又はコンテンツには、高いポイント付与するよう重みをつけたポイントを算出する。視聴優先度管理部１０６は、このように付与されたポイントの高い順に番組又はコンテンツを順位付けし、視聴メディア自動切替手段は順位の一番高い番組又はコンテンツを自動的に表示部１５に表示させる。
【０１２３】
ここで、視聴回数が多い番組又はコンテンツは、ユーザの好みの番組であるといえるため、上記利用情報から重み付けを行ったポイントは、ユーザの好みが反映されたポイントであるといえる。従って、視聴メディア自動切替装置は、番組のみならず、コンテンツ、並びに、記録装置に記録された番組及びコンテンツのうち、ユーザが好みの番組、コンテンツ、並びに記録装置に記録された番組及びコンテンツを自動的にユーザに提供することができるという効果を奏する。
【０１２４】
また、コンテンツ情報管理部１０２が視聴メディア情報データベース１２１に記録されているコンテンツ情報を最新の状態にする。このため、視聴メディア自動切替エンジン１０８は、自動的に表示部１５に新しいコンテンツを表示させることができる。
【０１２５】
また、コンテンツ情報管理部１０２が更新するコンテンツ情報には、他のユーザのアクセス数が含まれている。ポイント算出部１０５は、この他のユーザのアクセス数に応じて重みをつけたポイントを算出することができる。視聴メディア自動切替エンジン１０８は、このように、ユーザの好みが反映されたポイントから作成された優先度リストを用いることで、よりユーザの好みの番組又はコンテンツを自動的にユーザに提供することができる。
【０１２６】
また、記録装置１２０は、視聴メディア情報データベース１２１、嗜好データベース１２２、及び、視聴メディア優先度データベース１２３を含んでおり、これらのデータベースを含むことにより、より、ユーザの好みにあった番組及びコンテンツをユーザに提供することができる。
【０１２７】
〔設定部１０７の設定内容の他の例〕
本実施形態では、設定部１０７は、（１）視聴メディア自動切替エンジン１０８に、優先度リストの順位の最も高い番組又はコンテンツを自動的に表示部１５に表示させること、又は、（２）順位の高い順に番組及びコンテンツを並べて表示部１５に表示させることを設定することを説明したが、設定部１０７が設定する内容は、これに限定されない。
【０１２８】
例えば、設定部１０７は、番組情報管理部１０１及びコンテンツ情報管理１０２が同時間帯に、放送番組及び／又はインターネット上のコンテンツが存在すると確認したとき、（３）視聴優先度管理部１０６にて記録装置１２０に記録した優先度リストのうち順位の最も高い番組又はコンテンツを自動的に表示部１５に表示させ、その他の番組及び／又はコンテンツを記録するよう視聴メディア記録部１０３に指示すること、又は、（４）優先度リストのうち順位の高い順に番組及びコンテンツを並べて表示部１５に表示させ、表示させた番組及びコンテンツの中から、視聴する番組又はコンテンツと記録する番組及び／又はコンテンツとをユーザに選択させることを設定する。
【０１２９】
上記構成によれば、ユーザは、視聴したい番組又はコンテンツが同時刻に存在する場合においても、最も興味のある番組又はコンテンツを視聴しながら、視聴する番組又はコンテンツ以外の番組及び／又はコンテンツを自動的に記録することが出来る。そのため、より利便性が高い視聴メディア自動切替装置を提供することができる。
【０１３０】
なお、設定部１０７が設定した内容が（４）の場合、ユーザが視聴する番組又はコンテンツの１つを選択することによって、選択された番組又はコンテンツが、表示部１５に全画面表示されることが好ましい。
【０１３１】
〔嗜好情報データベース１２２の他の例〕
本実施形態では、嗜好情報データベース１２２が１つである場合を例に説明を行ったが、本発明はこれに限定されず、例えば、１又は複数のユーザ毎、及び、１又は複数のユーザからなる１又は複数のグループ毎に管理されている１又は複数のデータベースであってもよい。
【０１３２】
これにより、複数のユーザの好みに合った番組及びコンテンツを提供することができる。
【０１３３】
〔視聴メディア優先度データベース１２３の他の例〕
本実施形態では、視聴メディア優先度データベース１２３が１つである場合を例に説明を行ったが、本発明はこれに限定されず、例えば、１又は複数のユーザ毎、及び、１又は複数のユーザからなる１又は複数のグループ毎に管理されている１又は複数のデータベースであってもよい。
【０１３４】
これにより、複数のユーザの好みに合った番組及びコンテンツを提供することができる。
【０１３５】
なお、上記で説明のために使用した図３〜図６の表は、説明のために日本語を用いて記載しているが、システムに実装の際には、英数字のみの符号を用いても良い。
【０１３６】
〔プログラム及び記録媒体〕
また、上述した視聴メディア自動切替装置１０の各ブロックは、ハードウェアロジックによって構成してもよいし、次のようにＣＰＵを用いてソフトウェアによって実現してもよい。
【０１３７】
すなわち、視聴メディア自動切替装置１０は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである視聴メディア自動切替装置１０の制御プログラム（認証プログラム）のプログラムコード（実行形式プログラム、中間コードプログラム、ソースプログラム）をコンピュータで読み取り可能に記録した記録媒体を、上記視聴メディア自動切替装置１０に供給し、そのコンピュータ（またはＣＰＵやＭＰＵ）が記録媒体に記録されているプログラムコードを読み出し実行することによっても、達成可能である。
【０１３８】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ（登録商標）／フラッシュＲＯＭ等の半導体メモリ系などを用いることができる。
【０１３９】
また、視聴メディア自動切替装置１０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ（high data rate）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【０１４０】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【０１４１】
なお、本発明は以下のように表現することもできる。
【０１４２】
テレビ放送される番組映像と、この番組映像に関する番組情報とを受信するテレビ放送受信部と、インターネット上の動画サイトからの動画と、この動画に関するコンテンツ情報を受信するためのインターネット受信部と、前記テレビ放送受信部が受信した前記番組映像を、前記番組情報に関連させて記録すると共に、前記インターネット受信部が受信した前記動画を、前記コンテンツ情報に関連させて記録する視聴メディア記録部と、前記テレビ放送された番組映像に関する放送番組情報と、前記インターネット上の動画サイトからの動画に関するインターネット上コンテンツ情報と、前記テレビ放送受信部が受信した前記番組映像を前記番組情報に関連させて記録すると共に前記インターネット受信部が受信した前記動画を前記コンテンツ情報に関連させて記録する際に記録される記録済視聴メディア情報とからなる視聴メディア情報データベースと、過去の視聴習慣をリスト化した過去視聴習慣リストと、利用者の嗜好を設定した嗜好設定リストとからなる嗜好情報データベースと、前記嗜好情報データベースを基に、前記視聴メディア情報データベースの放送番組、インターネット上コンテンツ、記録済視聴メディアを、視聴の優先度順に配列した視聴メディア優先度リストからなる視聴メディア優先度データベースと、前記視聴メディア優先度データベースの情報を基に、前記番組映像か、前記インターネット上のコンテンツか、前記記録済視聴メディアかを選択し、番組又はコンテンツを自動的に切替を行う視聴メディア自動切替エンジンと、を有することを特徴とする視聴メディア自動切替表示装置。
【０１４３】
また、前記嗜好情報データベース中の前記過去視聴習慣リストは、過去に視聴したメディアが、放送番組かインターネット上コンテンツか記録済視聴メディアかのメディア識別情報とその視聴回数とその視聴時間と、ジャンルとその視聴回数とその視聴時間と、出演者とその視聴回数とその視聴時間と、タイトルとその視聴回数とその視聴時間とを含む情報を記録することにより構成されるリストであることを特徴とする構成の視聴メディア自動切替表示装置。
【０１４４】
また、前記嗜好情報データベース中の前記嗜好設定リストは、利用者が、視聴を希望するジャンルや、出演者や、タイトルや、フリーキーワード等を、その視聴を希望する順位と共に指定することにより設定するリストであることを特徴とする構成の視聴メディア自動切替表示装置。
【０１４５】
また、前記視聴メディア優先度リストは、前記視聴メディア情報データベース中の前記放送番組情報、前記インターネット上コンテンツ情報、記録済視聴メディア情報内の各々の番組又はコンテンツに対して、前記嗜好情報データベース中の前記過去視聴習慣リストと前記嗜好設定リストに基づき、視聴メディア優先度ポイントを算出して、そのポイントの大きいものから前記各々の番組及びコンテンツを順位付けしてリスト化したものであることを特徴とする構成の視聴メディア自動切替表示装置。
【０１４６】
また、前記インターネット上コンテンツ情報に関して、前記嗜好情報データベースの情報を基に、定期的にインターネット上の動画サイトのコンテンツ情報にアクセスし、インターネット上コンテンツ情報を常時更新しておくことを特徴とする構成の視聴メディア自動切替表示装置。
【０１４７】
また、前記インターネット上コンテンツ情報に、他者による動画コンテンツへのアクセス数を記載することを特徴とする構成の視聴メディア自動切替表示装置。
【０１４８】
また、複数の視聴者及び／又はグループ毎に、前記嗜好情報データベースと、前記視聴メディア優先度データベースを、各々保有することを特徴とする構成の視聴メディア自動切替表示装置。
【０１４９】
また、前記視聴メディア優先度ポイントの最も高い番組又はコンテンツを自動的に表示する方式か、視聴メディア優先度ポイントの高いものから順にリストし、そのいずれの番組又はコンテンツを利用者が視聴するか選択する方式の、いずれの方式を選択するかを予め設定することを特徴とする構成の視聴メディア自動切替表示装置。
【０１５０】
また、同時間帯に、放送番組、インターネット上コンテンツが存在する場合、前記視聴メディア優先度ポイントの最も高いものを自動的に表示しその他を記録しておくか、視聴メディア優先度ポイントの高いものから順にリストし、いずれをリアルタイムで利用者が視聴し、いずれを記録するかを選択するかのいずれかを予め設定することを特徴とする構成の視聴メディア自動切替表示装置。
【０１５１】
また、前記視聴メディア自動切替表示装置に関して、自動切替された番組又はコンテンツを表示するディスプレイを有することを特徴とする自動切替表示された番組又はコンテンツを表示するテレビジョン装置。
【０１５２】
また、上記番組情報管理手段、及び、上記コンテンツ情報管理手段が同時間帯に、放送番組及び／又はインターネット上のコンテンツが存在すると確認したとき、上記視聴優先度管理手段にて記録装置に記録した優先度リストのうち順位の最も高い番組又はコンテンツを自動的に表示部に表示させ、その他の番組及び／又はコンテンツを記録するよう上記視聴メディア記録手段に指示すること、又は、順位の高い順に番組及びコンテンツを並べて表示部に表示させ、表示させた番組及びコンテンツの中から、視聴する番組又はコンテンツと記録する番組及び／又はコンテンツとをユーザに選択させることを、ユーザからの指示に従って設定する設定手段を更に備えることを特徴とする視聴メディア自動切り替え装置。
【０１５３】
ユーザが過去に視聴した放送番組に関する番組情報と、ユーザが過去に視聴したインターネット上のコンテンツに関するコンテンツ情報と、記録媒体に記録された放送番組またはコンテンツを示す記録済視聴メディア情報とを含む視聴情報（１）と、上記放送番組、コンテンツ、および記録媒体に記録された放送番組またはコンテンツを含む視聴メディアのそれぞれに対するユーザの利用状況を反映した数値データ（２）とが対応付けて記録された記録手段から、上記視聴情報（１）および数値データ（２）を呼び出して、上記視聴メディアのそれぞれについて、上記数値データ（２）を所定の演算式に代入することにより、ユーザの利用状況を示すポイントを求める演算を行い、上記視聴メディアのそれぞれを順位付けしたリストを作成して、上記記録手段に記録すること、を特徴とする視聴メディア順位付け方法。
【産業上の利用可能性】
【０１５４】
本発明は、テレビ放送番組、インターネット上コンテンツ及び記録装置を備えた表示装置に利用することができる。
【符号の説明】
【０１５５】
１      表示装置
１０      視聴メディア自動切替装置
１０１      番組情報管理部（番組情報管理手段）
１０２      コンテンツ情報管理部（コンテンツ情報管理手段）
１０３      視聴メディア記録部（視聴メディア記録手段）
１０４      利用情報管理部（利用情報管理手段）
１０５      ポイント算出部（ポイント算出手段）
１０６      視聴優先度管理部（視聴優先度管理手段）
１０７      設定部（設定手段）
１０８      視聴メディア自動切替エンジン（視聴メディア自動切替手段）
１２０      記録装置（記録手段、記録媒体）
１２１        視聴メディア情報データベース
１２２        嗜好データベース
１２３        視聴メディア優先度データベース
１１      テレビ放送受信部
１２      インターネット受信部
１３      入力受信部
１４      入力情報管理部
１５      表示部
【図１】
0005551034.tif 000002
【図２】
0005551034.tif 000003
【図３】
0005551034.tif 000004
【図４】
0005551034.tif 000005
【図５】
0005551034.tif 000006
【図６】
0005551034.tif 000007